(57)【特許請求の範囲】
【請求項１】
トラックの荷台に搭載され、籾殻を収納可能な収納部を設けてなり、上記トラックの荷台の左右両側部に並列状に立設可能な縦杆部及び該荷台の上方位置にして該左右の縦杆部間に設けられた横杆部からなる複数個の枠杆体と、該並列する複数個の枠杆体の隣り合う縦杆部間に配設され、一対のリンク杆を中心枢軸により枢着してなるＸ状リンクとを備えてなり、上記荷台の前後に位置する枠杆体の縦杆部に挿通筒を固定し、挿通筒間に補強杆を架設し、上記Ｘ状リンクの一対のリンク杆の一方端部を縦杆部に挿通固定した固定筒体にピンにより枢着状態で連結すると共に他方端部を対向する縦杆部に摺動自在に設けた摺動筒体にピンにより枢着状態で連結し、該複数個の枠杆体に収納シート体を配置し、該収納シート体は合成樹脂製にして上面板部、前面板部、後面板部及び左右の側面板部の構成部材からなる底面が開口した覆い袋状に形成されて上記収納部を形成し、該収納シート体に上記収納部内に籾殻を導入するための開閉ファスナー部及び該収納部内から籾殻を排出するため開閉ファスナー部を設け、収納シート体の構成部材の全部又は一部の構成部材が収納部内の空気が外部に通過可能なシート材により形成されていることを特徴とする籾殻運搬用コンテナ。
【発明の詳細な説明】
【技術分野】
【０００１】
本発明は例えば軽トラックの荷台に搭載されて、籾殻の運搬に用いられる籾殻運搬用コンテナに関するものである。
【背景技術】
【０００２】
従来、この種の籾殻運搬用コンテナとして、トラックの荷台に搭載される枠体にネットを覆ってなる構造のものが知られている。
【特許文献１】実開昭６０−１５０２９号公報
【発明の開示】
【発明が解決しようとする課題】
【０００３】
しかしながらこれら上記従来構造の場合、構築体構造となっていて荷台への設置及び荷台からの取り外し並びに分解組立が厄介であり、しかも、コンテナの側面や後面を開口して籾殻を排出したとき、不可避的に荷台上に籾殻が残ることになるが、この残った籾殻を荷台上から掻き出すとき、作業者はコンテナの内部に潜って籾殻の埃にまみれながら不衛生な状況で掻き出したり、一旦、コンテナを解体してから掻き出すことになり、それだけ、作業が厄介となったり、作業性が低下したりすることがあるという不都合を有している。
【課題を解決するための手段】
【０００４】
本発明はこれらの不都合を解決することを目的とするもので、本発明のうちで、請求項１記載の発明は、トラックの荷台に搭載され、籾殻を収納可能な収納部を設けてなり、上記トラックの荷台の左右両側部に並列状に立設可能な縦杆部及び該荷台の上方位置にして該左右の縦杆部間に設けられた横杆部からなる複数個の枠杆体と、該並列する複数個の枠杆体の隣り合う縦杆部間に配設され、一対のリンク杆を中心枢軸により枢着してなるＸ状リンクとを備えてなり、上記荷台の前後に位置する枠杆体の縦杆部に挿通筒を固定し、挿通筒間に補強杆を架設し、上記Ｘ状リンクの一対のリンク杆の一方端部を縦杆部に挿通固定した固定筒体にピンにより枢着状態で連結すると共に他方端部を対向する縦杆部に摺動自在に設けた摺動筒体にピンにより枢着状態で連結し、該複数個の枠杆体に収納シート体を配置し、該収納シート体は合成樹脂製にして上面板部、前面板部、後面板部及び左右の側面板部の構成部材からなる底面が開口した覆い袋状に形成されて上記収納部を形成し、該収納シート体に上記収納部内に籾殻を導入するための開閉ファスナー部及び該収納部内から籾殻を排出するため開閉ファスナー部を設け、収納シート体の構成部材の全部又は一部の構成部材が収納部内の空気が外部に通過可能なシート材により形成されていることを特徴とする籾殻運搬用コンテナにある。
【発明の効果】
【０００５】
本発明は上述の如く、請求項１記載の発明にあっては、荷台の前後に位置する枠杆体の縦杆部に挿通筒を固定し、挿通筒間に補強杆を架設し、上記Ｘ状リンクの一対のリンク杆の一方端部を縦杆部に挿通固定した固定筒体にピンにより枢着状態で連結すると共に他方端部を対向する縦杆部に摺動自在に設けた摺動筒体にピンにより枢着状態で連結し、該複数個の枠杆体に収納シート体を配置し、該収納シート体は合成樹脂製にして上面板部、前面板部、後面板部及び左右の側面板部の構成部材からなる底面が開口した覆い袋状に形成されて上記収納部を形成し、該収納シート体に上記収納部内に籾殻を導入するための開閉ファスナー部及び該収納部内から籾殻を排出するため開閉ファスナー部を設け、収納シート体の構成部材の全部又は一部の構成部材が収納部内の空気が外部に通過可能なシート材により形成されているから、各枠杆体を近接離反移動することができ、保管時等の不使用時においては、各枠杆体を円滑に近接移動させて畳むことができ、荷台の長さサイズに対応することもでき、さらに、不可避的に荷台上に残った籾殻の掻き出しに当たっては、各枠杆体を近接移動させることにより荷台が外部に露出した状態で掻き出すことができ、それだけ、作業性を高めることができると共に使用の利便性を高めることができ、上記収納シート体は合成樹脂製にして上面板部、前面板部、後面板部及び左右の側面板部の構成部材からなる底面が開口した覆い袋状に形成されているので、複数個の枠杆体に対する脱着を容易に行うことができ、上記収納シート体に上記収納部内に籾殻を導入するための開閉ファスナー部及び収納部内から籾殻を排出するため開閉ファスナー部を設けてなるから、籾殻の詰入収納及び排出作業を容易に行うことができ、上記収納シート体の構成部材の全部又は一部の構成部材が収納部内の空気が外部に通過可能なシート材により形成されているから、籾摺機等から導入ダクトを介して収納部内に籾殻を空気流により詰入収納するとき、空気は構成部材から外部に通過し、籾殻を収納部に良好に収納することができる。
【発明を実施するための最良の形態】
【０００６】
図１乃至図１０は本発明の実施の形態例を示し、１はトラック、２は荷台、３は枠杆体であって、四個の枠杆体３・３・・が用いられ、この場合、枠杆体３は荷台２の左右両側部に並列状に立設可能な縦杆部３ａ・３ａ及び荷台２の上方位置にして左右の縦杆部３ａ・３ａ間に設けられた横杆部３ｂからなり、荷台２の前後に位置する枠杆体３の縦杆部３ａ・３ａに挿通筒３ｃ・３ｃを固定し、挿通筒３ｃ・３ｃ間に補強杆３ｄ・３ｄを架設して構成している。
【０００７】
４はＸ状リンクであって、この場合、上記並列する四個の枠杆体３・３・・の隣り合う縦杆部３ａ・３ａ間に三個配設され、このＸ状リンク４は一対のリンク杆４ａ・４ａを中心枢軸４ｂにより枢着して構成されている。
【０００８】
この場合、図５、図７、図８及び図９の如く、上記Ｘ状リンク４の一対のリンク杆４ａ・４ａの一方端部たる上方端部を対向する縦杆部３ａ・３ａに挿通固定した固定筒体３ｅにピン３ｆにより枢着状態で連結すると共にＸ状リンク４の一対のリンク杆４ａ・４ａの他方端部たる下方端部を対向する縦杆部３ａ・３ａに摺動自在に挿通した摺動筒体３ｇにピン３ｈにより枢着状態で連結し、かつ、縦杆部３ａ・３ａに摺動筒体３ｇの上限位置を定めるストッパー筒体３ｊを挿通固定して構成している。
【０００９】
しかして、図３、図５の状態から図６の状態を経て図４の如く、上記Ｘ状リンク４の一対のリンク杆４ａ・４ａの中心枢軸４ｂを中心とする回動及び一対のリンク杆４ａ・４ａの他方端部の縦杆部３ａ・３ａに対する摺動により上記各枠杆体３・３・・を近接離反移動することになる。
【００１０】
５は収納シート体であって、この場合、柔軟性をもつ合成樹脂製にして、上面板部５ａ、前面板部５ｂ、後面板部５ｂ及び左右の側面板部５ｃ・５ｃの構成部材からなる底面が開口した覆い袋状に形成され、この収納シート体５を四個の枠杆体３・３・・に止着することにより籾殻Ｗを収納可能な収納部６を形成している。尚、上記収納シート体５は網体等により形成することもある。
【００１１】
この場合、上記収納シート体５の構成部材である上面板部５ａは空気が良好に通過可能なシート材により形成され、かつ、上面板部５ａに籾殻Ｗを導入するための図示省略の導入ダクトが挿入可能な開閉ファスナー部Ｍが形成され、後面板部５ｂに籾殻Ｗを導入するための図示省略の導入ダクトが挿入可能であると共に収納部６内の籾殻Ｗを排出するための開閉ファスナー部Ｍが形成され、さらに、左右の側面板部５ｃ・５ｃに収納部６内の籾殻Ｗを排出するための開閉ファスナー部Ｎ・Ｎが形成されている。この場合、開閉ファスナー部Ｍ・Ｎは、所謂スライドファスナーとなっているが、その他の構造のファスナーであってもよい。
【００１２】
この実施の形態例は上記構成であるから、上記構造の籾殻運搬用コンテナＦをトラック１の荷台２に搭載し、例えば、図示省略の籾摺機等の導入ダクトをファスナー部Ｍに挿通し、導入ダクトを介して収納部６内に籾殻Ｗを空気流により詰入収納し、収納完了後、トラック１の運転により籾殻Ｗを所定位置に運搬し、運搬後、収納部６内の籾殻Ｗを排出することになり、この際、上記並列する複数個の枠杆体３・３・・の隣り合う縦杆部３ａ・３ａ間に一対のリンク杆４ａ・４ａを中心枢軸４ｂにより枢着してなるＸ状リンク４が設けられ、このＸ状リンク４の一対のリンク杆４ａ・４ａの一方端部を対向する縦杆部３ａに枢着状態で位置固定連結すると共に他方端部を対向する縦杆部３ｂに枢着状態で摺動自在に連結し、複数個の枠杆体３・３・・に収納シート体５を配置して上記収納部６を形成してなるから、各枠杆体３・３・・を近接離反移動することができ、保管時等の不使用時においては、図３、図５の状態から図６の状態を経て図４の畳み状態へと畳むことができ、荷台２の長さサイズに対応することもでき、さらに、不可避的に荷台２上に残った籾殻Ｗの掻き出しに当たっては、各枠杆体３・３・・を近接移動させることにより荷台２が外部に露出した状態で籾殻Ｗを掻き出すことができ、それだけ、作業性を高めることができると共に使用の利便性を高めることができる。
【００１３】
又、この場合、上記Ｘ状リンク４の一対のリンク杆４ａ・４ａの他方端部を対向する縦杆部３ａ・３ａに摺動自在に設けた摺動筒体３ｇに枢着状態で連結してなるから、複数個の枠杆体３・３・・の近接離反移動を円滑に行うことができ、又、この場合、上記収納シート体５は合成樹脂製にして、上面板部５ａ、前面板部５ｂ、後面板部５ｂ及び左右の側面板部５ｃ・５ｃの構成部材からなる底面が開口した覆い袋状に形成されているので、複数個の枠杆体３・３・・に対する脱着を容易に行うことができ、又、この場合、上記収納シート体５に上記収納部６内に籾殻Ｗを導入するための開閉ファスナー部Ｍ及び収納部６内から籾殻Ｗを排出するため開閉ファスナー部Ｎを設けてなるから、籾殻Ｗの詰入収納及び排出作業を容易に行うことができ、又、この場合、上記収納シート体５の構成部材の全部又は一部の構成部材が収納部６内の空気が外部に通過可能なシート材により形成されているから、図示省略の籾摺機等から導入ダクトを介して収納部６内に籾殻Ｗを空気流により詰入収納するとき、空気は構成部材から外部に通過し、籾殻Ｗを収納部６に良好に収納することができる。
【００１４】
尚、本発明は上記実施の形態例に限られるものではなく、例えば枠杆体３、Ｘ状リンク４、収納シート体５の大きさ、形態、構造、材質等はトラックの荷台等に応じて適宜変更して設計される。
【００１５】
以上、所期の目的を充分達成することができる。
【図面の簡単な説明】
【００１６】
【図１】本発明の実施の形態例の使用状態の側面図である。
【図２】本発明の実施の形態例の全体斜視図である。
【図３】本発明の実施の形態例の枠杆体の組立斜視図である。
【図４】本発明の実施の形態例の畳み状態の側面図である。
【図５】本発明の実施の形態例の展開状態の側面図である。
【図６】本発明の実施の形態例の展開途中の側面図である。
【図７】本発明の実施の形態例の部分断面図である。
【図８】本発明の実施の形態例の部分平断面図である。
【図９】本発明の実施の形態例の部分側断面図である。
【図１０】本発明の実施の形態例の部分斜視図である。
【符号の説明】
【００１７】
Ｗ    籾殻
Ｍ    開閉ファスナー部
Ｎ    開閉ファスナー部
１    トラック
２    荷台
３    枠杆体
３ａ    縦杆部
３ｂ    横杆部
３ｃ 挿通筒
３ｄ 補強杆
３ｅ 固定筒体
３ｆ    ピン
３ｇ    摺動筒体
３ｈ ピン
４    Ｘ状リンク
４ａ    リンク杆
４ｂ    中心枢軸
５    収納シート体
５ａ    上面板部
５ｂ    前面板部
５ｂ    後面板部
５ｃ    側面板部
６    収納部
【図１】
0004470179.tif 000002
【図２】
0004470179.tif 000003
【図３】
0004470179.tif 000004
【図４】
0004470179.tif 000005
【図５】
0004470179.tif 000006
【図６】
0004470179.tif 000007
【図７】
0004470179.tif 000008
【図８】
0004470179.tif 000009
【図９】
0004470179.tif 000010
【図１０】
0004470179.tif 000011